(57)【要約】【課題】横フレームに左右のナイフビーム等の農作業具を、所望の位置に、簡単かつ正確に調整して位置決めし、ずれたりすることなく、安定して固定可能とする。【解決手段】農作業機１の横フレーム２の左右両側の端面に押さえ部材２９が着脱可能に取り付けられ、横フレーム２の左右両側には、左右の規制部材２７が設けられ、横フレーム２には、ナイフビーム１５およびコールタ１８を取り付けた左右の位置決め用農作業具ホルダ１１が固定されるとともに、横フレーム２の左右の部分における、規制部材２７と位置決め用農作業具ホルダ１１の間及び位置決め用農作業具ホルダ１１と押さえ部材２９の間のいずれか又は両方に、複数のスペーサ３３〜３５が割り振られて着脱可能に装着される。【選択図】図５
2019110848.tif 000002
【特許請求の範囲】
【請求項１】
トラクタに連結する本体フレームと、進行方向に向けて左右の農作業具をそれぞれ取り付ける左右の位置決め用農作業具ホルダと、を備え、左右の位置決め用農作業具ホルダの左右方向の固定位置が調整可能な農作業機であって、
本体フレームは、左右方向に延びる横フレームを備え、
横フレームの左右の両側の端部に、押さえ部材が移動不能に設けられており、横フレームの左右両側には、左右の規制部材が移動不能に設けられており、横フレームの左右両側における押さえ部材と規制部材の間には、左右の位置決め用農作業具ホルダが固定されるとともに、複数のスペーサが着脱可能に装着されており、
横フレームの左右両側において、規制部材と位置決め用農作業具ホルダの間及び位置決め用農作業具ホルダと押さえ部材の間のいずれか又は両方に、前記複数のスペーサが割り振られて着脱可能に装着される構成であることを特徴とする左右の位置決め用農作業具ホルダの固定位置が調整可能な農作業機。
【請求項２】
規制部材の外側面と押さえ部材の内側面の間の長さは、複数のスペーサと位置決め用農作業具ホルダの横幅を合計した長さであることを特徴とする請求項１に記載農作業機。  
【請求項３】
複数のスペーサは、横幅が同じものだけの組み合わせ及び異なるものを含んだ組み合わせのいずれでもよい構成であることを特徴とする請求項１又は２に記載の農作業機。
【請求項４】
位置決め用農作業具ホルダは、横フレームにスライド可能に嵌合する取付孔が形成されており、位置決め用農作業具ホルダの外側面には、取付孔と同じ形状かつ寸法を有する支持筒を備えている構成であることを特徴とする請求項１〜３のいずれかに記載の農作業機。
【請求項５】
押さえ部材は、横フレームの左右の両側の端部に、着脱可能に固定されている構成、溶接で固定されている構成、又は横フレームの一部として一体に形成されている構成であることを特徴とする請求項１〜４のいずれかに記載の農作業機。
【請求項６】
農作業具は、チゼルを備えたナイフビーム及びコールタのいずれか又は両方であることを特徴とする請求項１〜５のいずれかに記載の農作業機。
【発明の詳細な説明】
【技術分野】
【０００１】
本発明は、農作業機に関し、特に、サブソイラ作業機のナイフビーム等、フレームに左右に設けられた農作業具の取付位置を調整可能に固定することができ、左右の農作業具の間の横幅を調整可能とする農作業機に関するものである。
【背景技術】
【０００２】
従来、農作業機において、本体のフレームに左右に設けられたナイフビーム等の作業具の間を調整する手段は知られている（特許文献１参照）。
【０００３】
例えば、特許文献１には、サブソイラ作業機において、本体を形成する横フレームの左右に、チゼルを有するナイフビームを取り付けられた構成は知られている。このサブソイラ作業機では、ナイフビームを取り付けた左右のナイフビームホルダが、横フレームにボルト・ナットで締結して取り付けられており、左右のナイフビームの間隔を調整する場合は、ボルト・ナットによる締結を緩めて、左右のナイフビームホルダの間隔を調整してからボルト・ナットで横フレームに締結して取り付ければよい。
【０００４】
また、図示はしないが、ナイフビームホルダを横フレームにスライド可能に嵌合し、ナイフビームホルダに取り付けたボルトを横フレームの外面に押しつけることで、ナイフビームホルダを位置決めしてフレームに固定する構成が知られている。
【０００５】
さらに、ナイフビームホルダを横フレームにスライド可能に嵌合し、ナイフビームホルダに取り付けたピンを横フレームの長手方向に間隔をおいて形成された複数の孔の一つに選択的に係入することで、ナイフビームホルダを位置決めしてフレームに固定する構成が知られている。
【先行技術文献】
【特許文献】
【０００６】
【特許文献１】特開２０００−２８７５０１号公報
【発明の概要】
【発明が解決しようとする課題】
【０００７】
特許文献１に記載のように、ナイフビームホルダをボルト・ナットでフレームに締結する構成であると、左右のナイフビームの間隔を調整する場合には、ボルト・ナットを緩め間隔を調整してから締結すればよいが、左右のナイフビームホルダの固定位置及び間隔を正確に調整しにくく、ボルト・ナットが緩まるとナイフビームが横方向にずれてしまい、所定の間隔を維持することができないという問題があった。
【０００８】
また、ナイフビームホルダを横フレームにスライド可能に嵌合し、ナイフビームホルダに取り付けたボルトを横フレームの外面に押しつけることで、ナイフビームホルダを位置決めしてフレームに固定する構成についても、左右のナイフビームホルダの固定位置及び間隔を正確に調整しにくく、固定後もボルトの緩みによって、ナイフビームホルダがずれるという問題があった。
【０００９】
さらに、ナイフビームホルダを横フレームにスライド可能に嵌合し、ナイフビームホルダに取り付けたピンを横フレームの長手方向に間隔をおいて形成された複数の孔の一つに選択的に係入することで、ナイフビームホルダを位置決めしてフレームに固定する構成であると、横フレームに複数の孔を形成する手間が生じ、さらに横フレームは強度的に弱くなるという問題があった。
【００１０】
本発明は、上記従来の問題を解決することを目的とし、農作業機において、横フレームに左右のナイフビーム等の農作業具を、所望の位置に、簡単かつ正確に調整して位置決めし、ずれたりすることなく、安定して固定することのできる農作業機を実現することを課題とする。
【課題を解決するための手段】
【００１１】
本発明は上記課題を解決するために、トラクタに連結する本体フレームと、進行方向に向けて左右の農作業具をそれぞれ取り付ける左右の位置決め用農作業具ホルダと、を備え、左右の位置決め用農作業具ホルダの左右方向の固定位置が調整可能な農作業機であって、本体フレームは、左右方向に延びる横フレームを備え、横フレームの左右の両側の端部に、押さえ部材が移動不能に設けられており、横フレームの左右両側には、左右の規制部材が移動不能に設けられており、横フレームの左右両側における押さえ部材と規制部材の間には、左右の位置決め用農作業具ホルダが固定されるとともに、複数のスペーサが着脱可能に装着されており、横フレームの左右両側において、規制部材と位置決め用農作業具ホルダの間及び位置決め用農作業具ホルダと押さえ部材の間のいずれか又は両方に、前記複数のスペーサが割り振られて着脱可能に装着される構成であることを特徴とする左右の位置決め用農作業具ホルダの固定位置が調整可能な農作業機を提供する。
【００１２】
規制部材の外側面と押さえ部材の内側面の間の長さは、複数のスペーサと位置決め用農作業具ホルダの横幅を合計した長さであることが好ましい。
【００１３】
複数のスペーサは、横幅が同じものだけの組み合わせ及び異なるものを含んだ組み合わせのいずれでもよい構成であることが好ましい。
【００１４】
位置決め用農作業具ホルダは、横フレームにスライド可能に嵌合する取付孔が形成されており、位置決め用農作業具ホルダの外側面には、取付孔と同じ形状かつ寸法を有する支持筒を備えている構成であることが好ましい。
【００１５】
押さえ部材は、横フレームの左右の両側の端部に、着脱可能に固定されている構成、溶接で固定されている構成、又は横フレームの一部として一体に形成されている構成であることが好ましい。
【００１６】
農作業具は、チゼルを備えたナイフビーム及びコールタのいずれか又は両方であることが好ましい。
【発明の効果】
【００１７】
本発明によれば、ナイフビーム等の農作業具を、横フレームの左右の所望の位置に、取付位置の細かい確認作業等をすることなく、簡単かつ正確に調整し位置決めして固定することができ、しかも取付位置がずれたりすることなく維持できる。そのため、左右のナイフビーム等の農作業具の取付間隔を、簡単に調整可能となり、ずれることなく維持可能となる。
【図面の簡単な説明】
【００１８】
【図１】本発明に係る農作業機の実施例の全体構成を示す斜視図である。
【図２】上記実施例の農作業機の全体構成を示す図であり、（ａ）は前方から見た正面図であり、（ｂ）は側面図である。
【図３】（ａ）上記実施例の農作業機の位置決め用農作業具ホルダの固定位置調整構造を説明するための、農作業機の要部を模式的に示す模式図であり、（ｂ）、（ｃ）はそれぞれスペーサの変形例を示す図である。
【図４】上記模式図における農作業機の調整例を示す図であり、（ａ）は左右の位置決め用農作業具ホルダの間隔を最大限広くした状態を示し、（ｂ）は（ａ）より狭くした状態を示し、（ｃ）はさらに狭くした状態を示す図である。
【図５】上記実施例の農作業機スペーサを装着する前後の状態を示す斜視図であり、（ａ）は装着前の状態を示し、（ｂ）は装着後の状態を示す。
【発明を実施するための形態】
【００１９】
本発明に係る農作業機を実施するための形態を実施例に基づき図面を参照して、以下説明する。
【実施例】
【００２０】
（全体構成）
本発明に係る農作業機の実施例を図１〜５において説明する。本発明に係る農作業機は、本体を形成するフレームに左右にナイフビーム等の作業機が固定されるものであれば、サブソイラ作業機、施肥機、播種機、その他の農作業機に適用可能である。
【００２１】
本実施例では、本発明に係る農作業機を、図１、図２に示すような構成のサブソイラ作業機に適用した構成について説明する。この実施例では、農作業機がトラクタで牽引されて進行する方向を前方とし、前方に向かって左右を左右方向又は横方向という。
【００２２】
本発明に係る農作業機１は、図１、図２に示すように、本体として左右方向に延びる横フレーム２を備えている。横フレーム２は、本実施例では、断面矩形の角パイプによって形成されている。横フレーム２には、農作業機１を起立しておくためのスタンド４が取り付けられている。
【００２３】
横フレーム２には、図１に示すように、前方に延びる左右の縦フレーム３の後端が固定されている。縦フレーム３の前端にはリンク装着具１０がもうけられている。左右の縦フレーム３及び横フレーム２から上方中心に向けて左右の傾斜支持板６が起立するように設けられており、図１、図２に示すように、その頂部にマスト７が形成されている。
【００２４】
マスト７の頂部にはリンク装着具８が設けられている。マスト７及び左右の縦フレーム３の前端部にそれぞれ設けられたリンク装着具８に、３点リンクが装着され、この３点リンクを介してトラクタ（図示せず）に連結され、牽引されて使用される。
【００２５】
横フレーム２の左右両端に、左右の位置決め用農作業具ホルダ１１が、その固定位置を適宜調整して固定される。図１に示すように、左右の位置決め用農作業具ホルダ１１には、それぞれ横フレーム２が嵌合し、横フレーム２に沿って位置決め用農作業具ホルダ１１がスライド可能とするための嵌合筒１２が設けられている。
【００２６】
なお、位置決め用農作業具ホルダ１１は、このような嵌合筒１２を備えることなく、単に嵌合孔を形成した構成としてもよい。
【００２７】
左右の位置決め用農作業具ホルダ１１には、図１に示すように、それぞれその後端部には下方に延びるようにナイフビーム１５が取り付けられている。また、左右の位置決め用農作業具ホルダ１１には、それぞれその前端部には下方に延びるようにフォーク状のコールタ取付アーム１７が取り付けられている。
【００２８】
ナイフビーム１５は、その下端部にはチゼル１６が取り付けられており、この農作業機１による農作業の際に、チゼル１６は圃場の地中内に食い込ん移動し、地中に残った作物（例えば、すでに収穫した砂糖黍）の残根を切ったり、耕耘等の機能を行う。
【００２９】
コールタ取付アーム１７には、コールタ１８が回転可能に取り付けられている。この農作業機１による農作業の際に、コールタ１８は、圃場の地表面に浅く入り、地中の残渣（例えば、藁や雑草等）に残った作物（例えば、すでに収穫した砂糖黍）の残根を切ったりする等の機能を行う。
【００３０】
本発明の特徴は、左右の位置決め用農作業具ホルダ１１を、それぞれ横フレーム２の左右両端への固定位置を簡単に調整できるようにして固定される構造とした点である。このような構成とすることで、左右の位置決め用農作業具ホルダ１１、ナイフビーム１５及びコールタ１８の間隔を簡単に調整できる。
【００３１】
（固定位置調整構造）
左右の位置決め用農作業具ホルダ１１の固定位置を調整する構造２２（以下、「固定位置調整構造」という）について、その構成、作用を模式的に示す図３（ａ）及び図４を参照して、以下、説明する。なお、模式図である図３（ａ）及び図４に示す部材の外観は、図１、２、５等の本実施例の部材の外観と若干異なるが、同じ部材については同じ符号を使用する。
【００３２】
図３（ａ）に示すように、横フレーム２の左右の端部には、ねじ孔２４が形成された閉止板２３が固定されている。また、横フレーム２の左右の端部からそれぞれ所定間隔だけ中央側に寄った位置の横フレーム２の外面には、左右の規制部材２７が突出するように、横フレーム２に一体に又は別体で固定し、移動不能に設けられている。上記「所定間隔」については、後記する。なお、規制部材２７は、横フレーム２の左右方向にその固定位置を調整してから、ボルト等の固定具によって移動不能に固定できる構成としてもよい。
【００３３】
左右の位置決め用農作業具ホルダ１１には、横フレーム２が嵌合し、横フレーム２に対して位置決め用農作業具ホルダ１１がスライド可能となるような形状及び寸法の嵌合孔２８（図１、２、５等では嵌合筒１２を設けたが模式図である図３（ａ）では嵌合孔とする）が左右方向に貫通して形成されている。
【００３４】
位置決め用農作業具ホルダ１１は、その嵌合孔２８に横フレーム２が嵌合することで、横フレーム２の端部に取り付けられるが、さらに位置決め用農作業具ホルダ１１の外側から押さえ部材２９が閉止板２３にボルト３０によって固定され、横フレーム２の端部に移動不能に設けられている。押さえ部材２９は、そのボルト挿通孔３１にボルト３０を挿通し、ボルト３０を横フレーム２の閉止板２３のねじ孔２４に螺着して固定する。
【００３５】
横フレーム２の左右の端部には、それぞれ複数のスペーサが嵌合して装着される。本実施例では、図１、図２（ａ）、図３（ａ）、図４、図５に示すように、複数のスペーサとして、第１スペーサ３３、第２スペーサ３４及び第３スペーサ３５の３つのスペーサを設けた構成例を示す。
【００３６】
スペーサは、横フレーム２に着脱可能な構成であればよいが、図３（ａ）に示すスペーサ３４〜３５は、それぞれ断面が一端側に開口を有する略コの字形であって、スペーサの両端部にはボルト挿通孔３７が形成されており、横フレーム２に嵌着してボルト挿通孔３７にボルト３８を通して、ナット３９で締着することで装着することができる。
【００３７】
スペーサ３４〜３５は、それぞれ断面が略コの字形に形成されているので、後記する図４に示すように、スペーサ３４〜３５を割り振って配置して横フレーム２に装着する際に、略コの字形のスペーサの開口から横フレーム２に嵌合し、また、開口から抜き取ることが可能（要するに、抜き差し可能）である。
【００３８】
特に、複数のスペーサ３４〜３５が、横フレーム２に装着され、押さえ部材２９がボルト３０によって閉止板２３に固定されている状態でも、後記するが、多少のスキマのある場合は、押さえ部材２９を取り外すことなく、スペーサを略コの字形の開口方向にずらしながら、開口から抜き取り、また差し込むことが可能となる。
【００３９】
なお、スペーサの２つの変形例を、それぞれ図３（ｂ）及び図３（ｃ）に平面図で示す。図３（ｂ）に示すスペーサ４５及び図３（ｃ）に示すスペーサ４６は、いずれも弾性を有する材料で形成し、横フレーム２に装着する際には、弾力に抗して開口部を開いて横フレーム２に嵌め込み、弾力的に圧接して装着可能な構成である。スペーサをこのような構成とすれば、ボルト及びナットを省略することもできる。
【００４０】
図４において、第１スペーサ３３、第２スペーサ３４及び第３スペーサ３５の３つのスペーサを設けた、位置決め用農作業具ホルダ１１の取付位置の調整例を示す。この図４では、第１スペーサ３３と第２スペーサ３４は同じ横幅（例えば５０ｍｍ）とし、第３のスペーサ３５は上記横幅の２倍（例えば１００ｍｍ）とする。
【００４１】
第１スペーサ３３、第２スペーサ３４及び第３スペーサ３５を、横フレーム２の所定箇所にそれぞれ選択的に割り振って又は選択的に組み合わせて装着し、これらのスペーサによって、横フレーム２に対する、位置決め用農作業具ホルダ１１の左右方向の固定位置を調整する３つの調整例を、図４（ａ）〜（ｃ）において具体的に説明する。
【００４２】
図４（ａ）に示す調整例１では、第１スペーサ３３、第２スペーサ３４及び第３スペーサ３５を、横フレーム２における、規制部材２７と位置決め用農作業具ホルダ１１の間に装着する。そして、押さえ部材２９を位置決め用農作業具ホルダ１１の外側面に当接して、ボルト３０を押さえ部材２９のボルト挿通孔３１に挿通し、閉止板２３のねじ孔２４に螺着する（図３（ａ）参照）ことで、位置決め用農作業具ホルダ１１を固定する。
【００４３】
左右の位置決め用農作業具ホルダ１１（図１参照）の両方を、この調整例１のように調整して固定することによって、左右の位置決め用農作業具ホルダ１１の間隔を最も広く調整することが可能となる。
【００４４】
図４（ｂ）に示す調整例２では、第１スペーサ３３及び第２スペーサ３４を、横フレーム２における、規制部材２７と位置決め用農作業具ホルダ１１の間に装着し、第３スペーサ３５を、位置決め用農作業具ホルダ１１と押さえ部材２９の間に装着する。そして、押さえ部材２９のボルト挿通孔３１に、ボルト３０を挿通して閉止板２３のねじ孔２４に螺着することで、位置決め用農作業具ホルダ１１を固定する。
【００４５】
左右の位置決め用農作業具ホルダ１１の両方を、この調整例２のように調整して固定することによって、左右の位置決め用農作業具ホルダ１１の間隔を図４（ｂ）の場合より狭く調整可能となる。
【００４６】
図４（ｃ）に示す調整例２では、第１スペーサ３３を、横フレーム２における、規制部材２７と位置決め用農作業具ホルダ１１の間に装着し、第２スペーサ３４及び第３スペーサ３５を、位置決め用農作業具ホルダ１１と押さえ部材２９の間に装着する。そして、押さえ部材２９のボルト挿通孔３１にボルト３０を挿通して閉止板２３のねじ孔２４に螺着することで、位置決め用農作業具ホルダ１１を固定する。
【００４７】
左右の位置決め用農作業具ホルダ１１の両方を、この調整例３のように固定することによって、左右の位置決め用農作業具ホルダ１１の間隔を図４（ｂ）の場合より狭く調整可能となる。
【００４８】
以上のとおり、規制部材２７と位置決め用農作業具ホルダ１１の間、位置決め用農作業具ホルダ１１と押さえ部材２９の間に、第１スペーサ３３、第２スペーサ３４及び第３スペーサ３５を、選択的に割り振って装着することによって、横フレーム２に対する位置決め用農作業具ホルダ１１の固定位置の調整が可能となる。これによって、左右の位置決め用農作業具ホルダ１１の間隔を適宜調整可能となる。
【００４９】
なお、通常は、左右の位置決め用農作業具ホルダ１１は、同じ調整状態とし、農作業機１の横幅方向の中心に左右対称の位置として、両者の間隔を調整する場合が多い。しかし、左右の位置決め用農作業具ホルダ１１は、必ずしも同じ調整状態とせずに、農作業機１の横幅方向の中心に左右対称の位置としなくても、圃場の状態に合わせて非対称の位置としてもよい。
【００５０】
ところで、前記したとおり、横フレーム２の左右の端部から所定間隔だけ中央に寄った規制部材２７が固定されているが、この「所定間隔」は、規制部材２７の外側面と押さえ部材２９の内側面の間に、第１スペーサ３３、第２スペーサ３４、第３スペーサ３５及び位置決め用農作業具ホルダ１１が互いに当接して配置される構成であることを考慮して決められる。
【００５１】
即ち、「所定間隔」は、規制部材２７の外側面と押さえ部材２９の内側面の間の長さが、第１スペーサ３３、第２スペーサ３４、第３スペーサ３５及び位置決め用農作業具ホルダ１１の全ての横幅を合計した長さ（以下、「スペーサと位置決め用農作業具ホルダの合計横幅」という）と同じになるように決める。
【００５２】
規制部材２７の外側面と押さえ部材２９の内側面の間の長さが、スペーサと位置決め用農作業具ホルダの合計横幅より多少小さいと、押さえ部材２９をボルト３０で固定する場合に、いわゆる「締め上げ固定」となり、複数のスペーサ間にガタが無くなるとともに、スペーサと位置決め用農作業具の間にもガタが無くなり、緩みのないしっかりとした締着が可能となる、というメッリトがある。
【００５３】
逆に、規制部材２７の外側面と押さえ部材２９の内側面の間の長さが、スペーサと位置決め用農作業具ホルダの合計横幅より多少大きいと、押さえ部材２９をボルト３０で固定する場合に、スキマが存在する。
【００５４】
ここでのスキマは、それが原因で位置決め用農作業具ホルダが左右に１〜２ｃｍ以上スライドするような過度のスキマを意味するものではなく、後記するが、スペーサ３３〜３５を略コの字形の開口の方向に抜き挿し可能となる程度の僅かなスキマを意味する。
【００５５】
このようなスキマがあると、図４（ａ）〜（ｃ）に示すように、複数のスペーサ３３〜３５の割り振りを変えて（配置変更して）、左右の位置決め用農作業具ホルダの固定位置を変更する際に、押さえ部材２９を閉止板２３に固定した状態で、スペーサ３３〜３５を略コの字形の開口の方向に抜き挿し可能となり、スペーサの取り外しないし装着おための作業が簡単となるというメリットが生じる。
【００５６】
上記のような、締め上げ固定および上記スキマによるそれぞれのメリットを考慮すると、規制部材２７の外側面と押さえ部材２９の内側面の間の長さが、スペーサと位置決め用農作業具ホルダの合計横幅と正確に一致しない場合でも、上記いずれかのそれなりのメリットが生じる。
【００５７】
従って、規制部材２７の外側面と押さえ部材２９の内側面の間の長さを、スペーサと位置決め用農作業具ホルダの合計横幅と同じ長さにする点については、正確に一致せず多少の誤差があっても、「略同じ長さ」であればよい。
【００５８】
なお、例えば、締め上げ固定および上記スキマが生じることのいずれかになることだけは事前に防止したい場合、或いは、上記それぞれのメリットのいずれかを積極的に利用したい場合等、締め上げ固定および上記スキマを設けることのいずれかを意図的に積極的に採用したい場合は、意図的に、規制部材２７の外側面と押さえ部材２９の内側面の間の長さを、スペーサと位置決め用農作業具ホルダの合計横幅より小さい構成とする又は大きい構成としてもよい。
【００５９】
（固定位置調整構造の具体的構造）
本発明の特徴である固定位置調整構造２２の模式図による説明は、以上のとおりであるが、本実施例における、具体的な固定位置調整構造２２の構造、作用を図５において説明する。本実施例では、図５（ａ）に示すように、横フレーム２の左右の部分に対して、第１スペーサ３３、第２スペーサ３４及び第３スペーサ３５を使用する。
【００６０】
規制部材２７と位置決め用農作業具ホルダ１１の間、位置決め用農作業具ホルダ１１と押さえ部材２９の間に、第１スペーサ３３、第２スペーサ３４及び第３スペーサ３５を、選択的に割り振って又は選択的に組み合わせて装着することによって、横フレーム２に対する位置決め用農作業具ホルダ１１の固定位置の調整が可能となる。
【００６１】
例えば、図５（ｂ）に示すように、第１スペーサ３３、第２スペーサ３４及び第３スペーサ３５を、横フレーム２の左右における、規制部材２７と位置決め用農作業具ホルダ１１の嵌合筒１２の間に嵌合し、ボルト３８で締着して装着する。このように３つのスペーサを装着すると、左右の位置決め用農作業具ホルダ１１の相互の間隔は最も広くなる。
【００６２】
本実施例では、複数のスペーサとして、第１スペーサ３３、第２スペーサ３４及び第３スペーサ３５を使用する構成を説明したが、スペーサは、複数であれば適宜枚数であってもよい。
【００６３】
また、複数のスペーサは、同じ横幅のものだけの組み合わせでもよいし、異なる横幅のものを含む組み合わせでもよいし、同じ横幅のものと異なる横幅のものを含む組み合わせでもよい。
【００６４】
以上のとおり、本発明に係る農作業機１は、規制部材２７が固定された横フレーム２の左右のそれぞれにおける、規制部材２７と位置決め用農作業具ホルダ１１の間及び位置決め用農作業具ホルダ１１と押さえ部材２９の間のいずれか又は両方に、複数のスペーサを選択的に割り振って又は選択的に組み合わせて装着することによって、位置決め用農作業具ホルダ１１の固定位置を調整して固定することが可能となる。
【００６５】
本発明に係る農作業機１は、このような構成とすることで、横フレーム２における位置決め用農作業具ホルダ１１の横方向の固定位置を、調整の際に細かく確認するような作業をすることなく、簡単かつ正確に調整することが可能となる。
【００６６】
また、複数のスペーサを、選択的に割り振って又は選択的に組み合わせて、横フレーム２の所定の部分に装着する構成としたので、位置決め用農作業具ホルダ１１の横方向の固定位置を、予め決められた複数の位置を選択して調整可能となる。これによって、左右のナイフビーム１５、コールタ１８等の左右の農作業具の左右方向の固定位置を、簡単、正確、かつ所望の位置に調整可能となる。
【００６７】
また、本発明の農作業機１では、位置決め用農作業具ホルダをボルトによって横フレーム２に締結する構成ではないので、前記したメリットのある上記スキマは別として、通常のボルト緩みによる位置決め用農作業具ホルダ１１の横方向にずれは生じない。
【００６８】
さらに、本発明の農作業機１では、スペーサを介して位置決め用農作業具ホルダ１１の固定位置を調整するので、農作業中に、左右の農作業具ないし位置決め用農作業具ホルダ１１に外力が作用しても、位置決め用農作業具ホルダ１１は横方向にずれたりすることはない。
【００６９】
そのために、本実施例におけるナイフビーム１５及びコールタ１８のような左右の農作業具の固定位置が、横方向にずれたりすることがなくなり、左右の農作業具の間隔も変動したりすることなく、一定間隔に維持され、圃場における安定した農作業が可能となる。
【００７０】
以上、本発明に係る農作業機を実施するための形態を実施例に基づいて説明したが、本発明はこのような実施例に限定されるものではなく、特許請求の範囲に記載された技術的事項の範囲内でいろいろな実施例があることは言うまでもない。
【００７１】
例えば、押さえ部材２９は、位置決め用農作業具ホルダ１１及び複数のスペーサ（第１スペーサ３３、第２スペーサ３４、第３スペーサ３５）が、横フレーム２の両端から外側方に抜けないようにするための部材である。
【００７２】
従って、押さえ部材２９をボルト３０で閉止板２３に着脱可能とする構成に替えて、押さえ部材を、横フレーム２の両端部に溶接で固定し、或いは横フレーム２の一部として両端部に一体に形成し、位置決め用農作業具ホルダ１１及びスペーサが横フレーム２の両端から側方に抜け出ないようなた構成としてもよい。
【００７３】
このような構成とする場合は、位置決め用農作業具ホルダ１１を分割構造にして嵌合孔も分割し、横フレーム２の端部から挿入せずに、横フレーム２を分割した嵌合孔に入れて、分割された位置決め用農作業具ホルダ１１を一体となるように横フレーム２に組み付ける構造とする。
【産業上の利用可能性】
【００７４】
本発明に係る農作業機は上記のような構成であるから、左右にナイフビーム、コールタディスク、施肥排出口を備えた農作業機だけでなく、その他左右に農作業具を備え、左右の間隔を調整する必要のある農作業機にも適用可能である。
【符号の説明】
【００７５】
１  農作業機                             
２  横フレーム                           
３  左右の縦フレーム                     
４  スタンド                             
６  左右の傾斜支持板                     
７  マスト                               
８  リンク装着具                         
１１  位置決め用農作業具ホルダ           
１２  嵌合筒                             
１５  ナイフビーム                       
１６  チゼル                             
１７  コールタ取付アーム                     
１８  コールタ                           
２２  固定位置調整構造                   
２３  閉止板                             
２４  閉止板のねじ孔                             
２７  規制部材                             
２８  嵌合孔                             
２９  押さえ部材                           
３０  ボルト
３１  押さえ部材のボルト挿通孔                             
３３  第１スペーサ                       
３４  第２スペーサ                       
３５  第３スペーサ                       
３７  スペーサのボルト挿通孔                       
３８  スペーサ締着用のボルト             
３９  スペーサ締着用のナット             
４５、４６  スペーサ（変形例）             
【図１】
2019110848.tif 000003
【図２】
2019110848.tif 000004
【図３】
2019110848.tif 000005
【図４】
2019110848.tif 000006
【図５】
2019110848.tif 000007